(57)【要約】  【課題】  信号灯器のレンズ体に付着した塵埃を効率よく容易に除去することができると共に、清掃作業コストの低減を図ることのできる信号灯器の清掃具を提供する。  【解決手段】  伸縮及び／又は屈曲自在に形成されたポール１と、該ポール１に連結されて、信号灯器のレンズ体の外表面に接触し、該レンズ体を清掃する清掃体６とを備え、該清掃体６を電動機等の駆動体５により可動自在にした。また、レンズ体の曲面に合わせて清掃体8ｂを変形可能にした。【選択図】図１
2010167340.tif 000002
【特許請求の範囲】
【請求項１】
伸縮及び／又は屈曲自在に形成されたポールと、該ポールに連結されて、信号灯器のレンズ体の外表面に接触し、該レンズ体を清掃する清掃体とを備え、該清掃体を電動機等の駆動体により可動自在にした事を特徴とする信号灯器の清掃具。
【請求項２】
清掃体は、清掃片が支持体を介して基台に組付けられてあり、前記支持体は曲率可変手段によって前記清掃片の曲率半径を可変可能となるように前記基台に連結されていることを特徴とする請求項１に記載の信号灯器の清掃具。
【請求項３】
清掃時の清掃体の位置ずれを防止する為の位置ずれ防止手段を設けたことを特徴とする請求項１又は２に記載の信号灯器の清掃具。
【請求項４】
清掃体は、回転中心部から枝分かれされてあり、該清掃体の回転軌跡上において、隣り合う前記清掃片にて形成される角度が１８０度以下であることを特徴とする請求項１〜３のいずれか１項に記載の信号灯器の清掃具。
【発明の詳細な説明】
【技術分野】
【０００１】
本発明は、光源体の光源を拡大するレンズ体を清掃する清掃手段を備えた信号灯器の清掃具に関するものである。
【背景技術】
【０００２】
従来より、信号灯器の光源カバーは自動車の排気ガス等によって汚れることから定期的に清掃作業を行っている。この清掃作業は、作業員を乗せたクレーン車が信号灯器の高さまで上げられ、作業員が雑巾等によって手作業で光源カバーを清掃するものであった。この作業は、高所作業であることから危険であった。また、長時間信号灯器を消灯させて手信号によって交通整理を行わなければならないものでもあった。
そこで、この信号灯器の光源カバーの清掃を容易にするために、光源カバーの表面に光触媒の作用を生じさせる物質をコーティングしたものが、発明されている（特許文献１〜４）。
【先行技術文献】
【特許文献】
【０００３】
【特許文献１】特開平０９−２３１４９９号公報
【特許文献２】特開平１０−１９８９０号公報
【特許文献３】特開２０００−２０７６８４号公報
【特許文献４】特開平１０−１０５８８７号公報
【発明の概要】
【発明が解決しようとする課題】
【０００４】
しかしながら、上記特許文献１〜４の信号灯器では、散水等によって光源カバーに付着した塵埃を洗い落とす作業が必要となることから、散水設備を搭載した作業車が必要となり、コスト高となっていた。
【０００５】
本発明は上記点に鑑み、信号灯器のレンズ体に付着した塵埃を効率よく容易に除去することができると共に、清掃作業コストの低減を図ることのできる信号灯器の清掃具を提供することを目的とする。
【課題を解決するための手段】
【０００６】
請求項１の発明では、伸縮及び／又は屈曲自在に形成されたポールと、該ポールに連結されて、信号灯器のレンズ体の外表面に接触し、該レンズ体を清掃する清掃体とを備え、該清掃体を電動機等の駆動体により可動自在にした事を特徴としている。したがって、清掃体が駆動体によって可動自在にレンズ体を清掃することができるので、駆動体の制御をリモートコントロールすることができるように構成すれば、従来のように作業者がクレーンに乗って高所作業をすることを無くすことができる。また、交通量の少ない夜間等に作業を行うことも可能であり、交通渋滞を招くこともない。
【０００７】
請求項２の発明では、清掃体は、清掃片が支持体を介して基台に組付けられてあり、前記支持体は曲率可変手段によって前記清掃片の曲率半径を可変可能となるように前記基台に連結されていることを特徴としている。したがって、清掃片の曲率半径を変更できることをから、信号灯器のレンズ体の曲率が異なる場合でも対応することができる。
【０００８】
請求項３の発明では、請求項１又は２の発明において、清掃時の清掃体の位置ずれを防止する為の位置ずれ防止手段を設けたことを特徴としている。したがって、清掃体の清掃片が信号灯器のレンズ体に、ずれること無く当接するので、確実にレンズ体の清掃を行うことができる。
【０００９】
請求項４の発明では、請求項１〜３のいずれかの発明において、清掃体は、回転中心部から枝分かれされてあり、該清掃体の回転軌跡上において、隣り合う前記清掃片にて形成される角度が１８０度以下であることを特徴としている。したがって、清掃体に複数の清掃片を設置することによって、清掃効果を向上させることができる。
【発明の効果】
【００１０】
請求項１の信号灯器の清掃具の発明では、従来のように作業者がクレーンに乗って高所作業をすることを無くすことができる。また、請求項２の発明では、信号灯器のサイズやレンズ体の曲率が異なる場合でも対応することができる。また、請求項３の発明では、確実にレンズ体の清掃を行うことができる。さらに、請求項４の発明では、清掃効果を向上させることができる。
【図面の簡単な説明】
【００１１】
【図１】清掃具の第１の実施形態を示す正面方向から視た説明図。
【図２】第１、第２実施形態の信号灯器の清掃具を側面方向から視た説明図。
【図３】第１の実施形態の信号灯器の清掃具の使用状態を示す説明図。
【図４】第１の実施形態の信号灯器の清掃具を信号灯器に設置した状態を示す説明図。
【図５】第３の実施形態の信号灯器の清掃具２３を示す説明図。
【図６】本発明に係る清掃具の清掃体と駆動体との着脱機構を示す断面図。
【発明を実施するための形態】
【００１２】
次に、本発明の実施形態を図面に基づいて説明する。図１は、本発明に係る信号灯器の清掃具の第１の実施形態を示す正面方向から視た説明図である。この図に示すように、清掃具２０は、ポール１の一方の先端部に本体ケース２と、位置ずれ防止手段３とが設置されている。この本体ケース２の内部には、制御手段４と、この制御手段４からの信号によって駆動するモータ等で構成される駆動体５が内蔵されている。そして、駆動体５の回転軸７０には清掃体６が着脱自在に連結されている。清掃体６は、信号灯器のレンズ体の曲面に対応するように形成された基台７と、この基台７に設置された清掃片８とから構成されている。
【００１３】
また、ポール１の他方の先端部には作業者が操作するための取っ手部６２が形成されており、この取っ手部６２の近傍に上述した制御手段４へ信号を送るスイッチ６１が設置されている。ポール１の中間部には長さを可変する可変手段１０が設けられており、清掃作業時に設置されている信号灯器の高さに合わせてポール１の長さが決められる。尚、図１では、可変手段１０は、外筒に内筒を挿入して固定ピンによって固定されるものを示しているが、これに限らず、外筒と内筒とにねじを切って螺合させ、外筒を回すことによって長さを調節するような構成のものでもよい。以上の構成により、清掃時に作業者がスイッチ６１を押すと駆動体５の回転軸７０と、この回転軸７０に連結された清掃体６とが矢印方向に回転するのである。
【００１４】
図２（ａ）は、第１の実施形態の信号灯器の清掃具２０を側面方向から視た説明図である。この図に示すように、清掃具２０の清掃体６は、側面視した場合には長方形状の基台７に同じく側面視した場合に長方形状の清掃片８が設置されているものであり、矢印方向に回転する。この清掃片８の長さは、被清掃物である信号灯器のレンズ体の長さに対応させている。
【００１５】
また、図２（ｂ）は、第２の実施形態の信号灯器の清掃具２１を側面方向から視た説明図である。この図に示すように、清掃具２１の清掃体６ａは、側面視した場合には、Ｙ字状の基台７ａに、側面視した場合に長方形状の清掃片８ａが３個設置されているものであり、矢印方向に回転する。このように構成することによって、前述した駆動体５により清掃体６ａが回転した場合に、清掃片８ａの隣り合う角度Ｃが上述した第１の実施形態の清掃片８より小さくなるため、一回転中により多く清掃できるため、清掃効率を上げることができる。
【００１６】
図３は、第１の実施形態の信号灯器の清掃具２０の使用状態を示す説明図である。この図に示すように、信号灯器３０は、歩道５０側の電柱３２に設置されて車道４０側に突き出ているものであり、作業者が車道４０側で清掃作業を行うのは危険である。したがって、清掃具２０の伸縮自在のポール１を伸ばして、歩道５０側から清掃作業が行えるようにするのである。また、清掃作業時には、ポール１の先端に設置されている位置ずれ防止手段３を信号灯器のひさし３１に引っ掛けるようにして固定することによって、信号灯器３０のレンズ体からの位置ずれが防止され、ポール１の取っ手部に設置されている清掃開始ボタンと清掃終了ボタンを押すだけで清掃作業を行うことができるのである。尚、本実施形態に係る清掃具２０は、図３に示すように３個のレンズ体を個々に清掃するものであるが、ポールの先端部に駆動体と清掃体を３個設置して３個のレンズ体を同時に清掃する構成とすることも可能である。
【００１７】
図４は、第１の実施形態の信号灯器の清掃具２０を信号灯器３０に設置した状態を示す説明図である。第１の実施形態では、ポール１の先端部に位置ずれ防止手段３が設置されており、この位置ずれ防止手段３の先端部にはゴム３ａが設置されている。このゴム３ａは、ひさし３１の上面に当接することによって、ポール１の上下動が規制されるので、レンズ体３２に清掃体６を確実に当接させることができるのである。したがって、この位置ずれ防止手段３を用いることによって、清掃時にレンズ体３２と清掃体６とがずれることが無いので、レンズ体３２に清掃されていない部分が残るのを防ぐことができる。
【００１８】
図５は、第４の実施形態の信号灯器の清掃具２３を示す説明図である。この図５（ａ）に示すように、清掃具２３は、清掃片８ｂが支持体７ｂを介して基台１１に組付けられてある。そして、支持体７ｂと基台１１とは曲率可変手段（ねじ）１２によって清掃片８ｂの曲率半径を可変可能とになるように連結されており、図５（ｂ）に示すように、ねじ１２を締めることによって、曲率を大きくすることができる。したがって、清掃片８ｂの曲率半径を変更できることをから、信号灯器のレンズ体の曲率が異なる場合でも対応することができるのである。
【００１９】
図６は、本発明に係る清掃具の清掃体と駆動体との着脱機構６０を示す断面図である。この図に示すように、清掃体側の回転軸Ａと駆動体側の回転軸Ｂとを着脱自在に連結するためには簡易カプラ機構が利用できる。即ち、カプラ受け口４１の外側カプラ４２は、内側リング４３に対して摺動可能であると共に内側リング４３との間にロック解除ガイド４６がスプリング４５による付勢状態で設けられている。またこのスプリング４５の端部４４が内側リング４３の内側へ突出しておりロック機構として働く。
【００２０】
このようなカプラ受け口４１内に差し込み部４７が差し込まれるように図中矢印と逆向きにカプラ受け口４１を移動させ、内側リング４３内に差し込み部４７を挿入、摺動させていくと、スプリング端部４４が差し込み部４７に形成された凹部４８に到達し、この凹部４８内に嵌り込んでロック状態が得られる。この状態では、清掃体側の回転軸Ａと駆動体側の回転軸Ｂとが一体化され連れ回りするのである。
【００２１】
また、外側カプラ４２を図中矢印方向に引けば、ロック解除ガイド４６もスプリング４５の付勢に抗してチャック部側へ移動し始め、これによって収縮するスプリング４５に伴ってスプリング端部４４がチャック部側へ引っ張られ、差し込み部４７の凹部４８との嵌合から外れてロック状態が解除される。したがって、清掃体が汚れた場合には清掃具のみを駆動体から外して取り替えることができる。
【産業上の利用可能性】
【００２２】
本発明の信号灯器の清掃機構は、自動車、電車、船舶、飛行機等の乗物と歩行者等の交通整理を行う信号灯器に使用する。
【符号の説明】
【００２３】
１  ポール
２  本体ケース
３  位置ずれ防止手段
３ａ  ゴム
４  制御手段
５  駆動体
６  清掃体
７、７ａ、１１  基台
７ｂ  支持体
８、８ａ、８ｂ  清掃片
２０、２１、２３  清掃具
３０  信号灯器
３１  ひさし
３２  レンズ体
４１  カプラ受け口
４２  外側カプラ
４３  内側リング
４４  スプリング端部
４５  スプリング
４６  ロック解除ガイド
４７  差し込み部
４８  凹部
６０  着脱機構
６１  スイッチ
６２  取っ手部
Ａ  清掃体側の回転軸
Ｂ  駆動体側の回転軸
【図１】
2010167340.tif 000003
【図２】
2010167340.tif 000004
【図３】
2010167340.tif 000005
【図４】
2010167340.tif 000006
【図５】
2010167340.tif 000007
【図６】
2010167340.tif 000008